【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
複数種類の図柄を表示したリールをＭ（Ｍは、３以上の整数）個並設し、
すべての前記リールの停止時に、表示窓内に、横方向にＭ個の図柄が停止し、縦方向に各前記リールの連続するＮ（Ｎは、２以上の整数）個の図柄が停止することで、前記表示窓内にＭ×Ｎ個の図柄配列が表示されるスロットマシンにおいて、
各前記リールの１つの図柄を通る図柄組合せラインは、
特定の前記リールの特定位置を通る図柄組合せラインＬａと、
一直線状のラインであって、前記特定のリールの前記特定位置以外の位置を通るとともに、他の少なくとも１つの前記リールについては前記図柄組合せラインＬａと同一位置を通る図柄組合せラインＬｂと
を有し、
前記図柄組合せラインＬａは、役に対応する図柄の組合せが停止したときにはその役の入賞となる有効ラインであり、
前記図柄組合せラインＬｂは、役に対応する図柄の組合せが停止したときであってもその役の入賞にならない無効ラインであり、
所定役を含む役の抽選を行う役抽選手段と、
前記リールの回転開始命令を受けたときにすべての前記リールを回転させるとともに、遊技者によりストップスイッチが操作されたときに、前記役抽選手段による役の抽選結果に対応する位置で、そのストップスイッチに対応する前記リールを停止させるリール制御手段と
を備え、
前記所定役に対応する図柄の組合せとして、図柄の組合せＸ１及び図柄の組合せＸ３を有し、
前記図柄の組合せＸ１は、前記特定のリールの図柄が図柄Ａに設定されているとともに、前記図柄組合せラインＬａ及び前記図柄組合せラインＬｂの双方が通る前記リールの図柄が図柄Ｂに設定されており、
前記特定のリールの停止時に、前記図柄Ａを前記図柄組合せラインＬａに停止させると同時に、前記図柄組合せラインＬｂに図柄Ｃを停止させることができるように、前記特定のリールの前記図柄Ａ及び前記図柄Ｃが配列されており、
前記リール制御手段は、前記役抽選手段による役の抽選で前記所定役に当選したときは、
前記ストップスイッチの押し順が押し順Ｔ１であることを条件として、前記図柄の組合せＸ３を前記図柄組合せラインＬａに停止させ、
前記ストップスイッチの押し順が押し順Ｔ２（Ｔ２≠Ｔ１）であることを条件として、前記特定のリールの停止時に、前記図柄Ａを前記図柄組合せラインＬａに停止させると同時に、前記図柄Ｃを前記図柄組合せラインＬｂに停止させるように制御することにより、前記図柄の組合せＸ１を前記図柄組合せラインＬａに停止させるとともに、前記図柄Ｃ及び前記図柄Ｂを含む図柄の組合せであって役に対応する図柄の組合せＸ２を前記図柄組合せラインＬｂに停止させることで、前記図柄組合せラインＬｂに役が入賞したかのような擬似入賞態様を作り出すように制御する
ことを特徴とするスロットマシン。
【請求項２】
請求項１に記載のスロットマシンにおいて、
前記所定役は、所定役Ｐ１と所定役Ｐ２とを有し、
前記所定役Ｐ１に対応する図柄の組合せは、前記図柄の組合せＸ３であり、
前記所定役Ｐ２に対応する図柄の組合せは、前記図柄の組合せＸ１であり、
前記役抽選手段は、前記所定役Ｐ１と前記所定役Ｐ２とが同時に重複当選するように役の抽選を行う
ことを特徴とするスロットマシン。
【請求項３】
請求項１又は請求項２に記載のスロットマシンにおいて、
前記図柄Ｃは、前記図柄Ｂと同一であるか、同一色であるか、又は近似する図柄であり、
前記図柄Ａは、前記図柄Ｂと異色であって、前記所定役以外の役に対応する図柄の組合せを構成する図柄の１つである
ことを特徴とするスロットマシン。
【手続補正２】
【補正対象書類名】明細書
【補正対象項目名】０００１
【補正方法】変更
【補正の内容】
【０００１】
本発明は、当選役の入賞をよりわかりやすく遊技者に示す技術に関するものである。
【手続補正３】
【補正対象書類名】明細書
【補正対象項目名】０００７
【補正方法】変更
【補正の内容】
【０００７】
したがって、本発明が解決しようとする課題は、役の入賞時に、遊技者が、直感的に役の入賞を知ることができるようにすることである。
【手続補正４】
【補正対象書類名】明細書
【補正対象項目名】０００８
【補正方法】変更
【補正の内容】
【０００８】
本発明は、以下の解決手段によって上述の課題を解決する。なお、かっこ書きで、対応する実施形態の一例を示す。
請求項１の発明は、複数種類の図柄を表示したリール（左リール３１、中リール３１、及び右リール３１）をＭ（Ｍは、３以上の整数）個（実施形態では３個）並設し、すべての前記リールの停止時に、表示窓（１１）内に、横方向にＭ個の図柄が停止し、縦方向に各前記リールの連続するＮ（Ｎは、２以上の整数）個（実施形態では３個）の図柄が停止することで、前記表示窓内にＭ×Ｎ個の図柄配列が表示されるスロットマシンにおいて、各前記リールの１つの図柄を通る図柄組合せラインは、特定の前記リール（左リール３１）の特定位置（例えば下段）を通る図柄組合せラインＬａ（例えば有効ラインＬ２又はＬ４）と、一直線状のラインであって、前記特定のリールの前記特定位置以外の位置（例えば上段又は中段）を通るとともに、他の少なくとも１つの前記リール（例えば中リール３１）については前記図柄組合せラインＬａと同一位置を通る図柄組合せラインＬｂ（例えば無効ラインＬ３又はＬ１１）とを有し、前記図柄組合せラインＬａは、役に対応する図柄の組合せが停止したときにはその役の入賞となる有効ラインであり、前記図柄組合せラインＬｂは、役に対応する図柄の組合せが停止したときであってもその役の入賞にならない無効ラインであり、所定役（例えば小役１、小役２Ａ、及びリプレイ２Ａ〜リプレイ２Ｃ）を含む役の抽選を行う役抽選手段（６１）と、前記リールの回転開始命令を受けたとき（スタートスイッチ４１が操作されたとき）にすべての前記リールを回転させるとともに、遊技者によりストップスイッチ（４２）が操作されたときに、前記役抽選手段による役の抽選結果に対応する位置で、そのストップスイッチに対応する前記リールを停止させるリール制御手段（６４）とを備え、前記所定役に対応する図柄の組合せとして、図柄の組合せＸ１（例えば小役２Ａに対応する図柄の組合せ、又はリプレイ２Ａ〜リプレイ２Ｃに対応する図柄の組合せ）及び図柄の組合せＸ３（例えば小役１に対応する図柄の組合せ）を有し、前記図柄の組合せＸ１は、前記特定のリールの図柄が図柄Ａ（「ＲＰ」）に設定されているとともに、前記図柄組合せラインＬａ及び前記図柄組合せラインＬｂの双方が通る前記リールの図柄が図柄Ｂ（「赤ベル」若しくは「青ベル」、又は「ＪＡＣ」）に設定されており、前記特定のリールの停止時に、前記図柄Ａを前記図柄組合せラインＬａに停止させると同時に、前記図柄組合せラインＬｂに図柄Ｃ（「ＢＡＲ」、「赤７」若しくは「青７」、又は「ＪＡＣ」）を停止させることができるように、前記特定のリールの前記図柄Ａ及び前記図柄Ｃが配列されており、前記リール制御手段は、前記役抽選手段による役の抽選で前記所定役に当選（例えば小役１及び小役２Ａに重複当選）したときは、前記ストップスイッチの押し順が押し順Ｔ１（例えば最初に操作されたストップスイッチ４２が中ストップスイッチ４２）であることを条件として、前記図柄の組合せＸ３（例えば小役１に対応する図柄の組合せ）を前記図柄組合せラインＬａ（例えば有効ラインＬ２）に停止させ、前記ストップスイッチの押し順が押し順Ｔ２（Ｔ２≠Ｔ１）（例えば最初に操作されたストップスイッチ４２が左ストップスイッチ４２）であることを条件として、前記特定の���ールの停止時に、前記図柄Ａを前記図柄組合せラインＬａに停止させると同時に、前記図柄Ｃを前記図柄組合せラインＬｂに停止させるように制御することにより、前記図柄の組合せＸ１（例えば小役２Ａに対応する図柄の組合せ）を前記図柄組合せラインＬａ（例えば有効ラインＬ２）に停止させるとともに、前記図柄Ｃ及び前記図柄Ｂを含む図柄の組合せであって役に対応する図柄の組合せＸ２（例えば役に対応する図柄の組合せに設定した特定の図柄の組合せＺ２）を前記図柄組合せラインＬｂ（例えば無効ラインＬ３）に停止させることで、前記図柄組合せラインＬｂに役が入賞したかのような擬似入賞態様を作り出すように制御することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２の発明は、請求項１において、前記所定役は、所定役Ｐ１（小役１）と所定役Ｐ２（例えば小役２Ａ）とを有し、前記所定役Ｐ１に対応する図柄の組合せは、前記図柄の組合せＸ３であり、前記所定役Ｐ２に対応する図柄の組合せは、前記図柄の組合せＸ１であり、前記役抽選手段は、前記所定役Ｐ１と前記所定役Ｐ２とが同時に重複当選するように役の抽選を行うことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３の発明は、請求項１又は請求項２において、前記図柄Ｃ（「２連ベル」）は、前記図柄Ｂ（「赤ベル」又は「青ベル」）と同一であるか、同一色であるか、又は近似する図柄であり、前記図柄Ａ（「ＲＰ」）は、前記図柄Ｂと異色であって、前記所定役以外の役（リプレイ１）に対応する図柄の組合せを構成する図柄の１つであることを特徴とする。
【手続補正９】
【補正対象書類名】明細書
【補正対象項目名】００１３
【補正方法】変更
【補正の内容】
【００１３】
（作用）
本発明においては、所定役の当選時には、ストップスイッチの押し順が押し順Ｔ１であることを条件に、所定役に対応する図柄の組合せＸ３が、図柄組合せラインＬａ（有効ライン）に停止する。また、ストップスイッチの押し順が押し順Ｔ２（Ｔ２≠Ｔ１）であることを条件に、所定役に対応する図柄の組合せＸ１が、図柄組合せラインＬａ（有効ライン）に停止すると同時に、役に対応する図柄の組合せＸ２が、一直線状の図柄組合せラインＬｂ（無効ライン）に停止する。これにより、遊技者は、直感的に、図柄の組合せＸ２が図柄組合せラインＬｂに停止したことによって役の入賞となった印象を受けるので、所定役の入賞時にメダル等の遊技媒体が払い出されても、遊技者に違和感を与えることがなくなる。
【手続補正１０】
【補正対象書類名】明細書
【補正対象項目名】００１４
【補正方法】変更
【補正の内容】
【００１４】
本発明によれば、所定役の入賞時に、役に対応する図柄の組合せを一直線状の無効ラインに停止させるようにしたので、遊技者は、直感的に、役の入賞を知ることができ、役の入賞をわかりやすく表現することができる。